(57)【特許請求の範囲】
【請求項１】
単一の投射レンズと、フレネルレンズシートと、フレネルレンズシートを通過して入射した光が出射されるときに当該光が通過しない領域に光遮蔽部材が設けられたレンチキュラーレンズシートとを備え、レンチキュラーレンズシートへの入射角度（ｄｅｇ）をθで、入射角度θの光に対するレンチキュラーレンズシートの全光線透過率（％）をＴｔ（θ）で、レンチキュラーレンズシートに含有された光吸収剤による光透過損失をαでそれぞれ表す場合、該レンチキュラーレンズシートの中心部において、Ｔｔ（θ）およびαが下記の式（１）および式（２）、
式（１）：｜θ｜＝５のとき   Ｔｔ（θ）＞７０×（１−α）
式（２）：｜θ｜＝２０のとき   Ｔｔ（θ）＜５０×（１−α）
を満足することを特徴とする背面投写型映像表示装置。
【請求項２】
レンチキュラーレンズシートにある入射側レンズの主焦点距離（ｍｍ）をｆで、入射側レンズのレンズ面頂部と光遮蔽部材の頂部との距離（ｍｍ）をｔでそれぞれ表すとき、ｆおよびｔが下記の式（３）、
式（３）：０．７≦ｔ／ｆ≦１．２
を満足する請求項１記載の背面投写型映像表示装置。
【請求項３】
レンチキュラーレンズシートにある入射側レンズのピッチに対する光遮蔽部材の幅が６０％以上である請求項１記載の背面投写型映像表示装置。
【発明の詳細な説明】
【０００１】
【発明の属する技術分野】
本発明は、液晶パネルなどを利用した単一レンズによる投射装置と、該投射装置からの映像が背面から投射されるスクリーンとを備えた背面投写型の映像表示装置に関する。
【０００２】
【従来の技術】
従来、1枚あるいは複数枚の液晶パネルなどを利用した単一レンズによる投射装置を備えた背面投写型の映像表示装置の透過型スクリーンとして、例えば図１０に示すような構成のものが用いられていた。この透過型スクリーンでは、透明樹脂板の表面にフレネルレンズが形成されたフレネルレンズシート１１の一方の面より投射装置（図示しない）からの発散光束が投射され、フレネルレンズシート１１で発散光束が平行光束または収束光束に変えられて他の一方の面より透過し、次にこの平行光束または収束光束が、両面にかまぼこ型凸レンズが水平方向に繰り返し形成されたレンチキュラーレンズシート１２を透過する。このことにより観察側での水平視野角が拡大され、所望の投射映像が作り出される。ここで、図１０に示す前面板１３は、レンチキュラーレンズシートの保護等の目的のために用いられる。
【０００３】
図１０に示す透過型スクリーンにおいて、レンチキュラーレンズシート１２には、水平方向の視野角のみならず垂直方向の視野角をも増大させるように、石英、ガラス、架橋高分子樹脂等の微粒子からなる拡散剤が配合されている。また、フレネルレンズシート１１にも同様の目的から同じように拡散剤が分散されることがある。
【０００４】
【発明が解決しようとする課題】
しかしながら、このような従来の透過型スクリーンにおいては見易さの点、特に映像の鮮明さおよびコントラストの点で問題があった。映像の鮮明さおよびコントラストを低下させている一つの原因としては、投射光源、拡大レンズ、フレネルレンズシート等の投射光学系を構成する部材から発生する迷光、不要な反射光などのいわゆるゴースト光が挙げられることが分かっている。従来は、これらの迷光、不要反射光などを低減するために、投射光学系を構成する部材を黒色に塗装するとともに、フレネルレンズシートの非レンズ面（例えばフレネルレンズシートのレンズ面とは反対側の面、ライズ面等）の表面を粗面化することが行われていたが、その効果は満足できるものではなかった。
【０００５】
また、映像の鮮明さおよびコントラストを低下させている他の一つの原因として、室内照明等の外光がレンチキュラーレンズシートの内部や表面で反射することが挙げられる。図１１に示すように、観察面側（投射装置とは反対の側）から入射した外光１４が微粒子拡散剤１５により拡散反射され、拡散反射光１６が観察者側に戻ってくるため画面全体が白くなり、映像源からの投射された画像のコントラストが低下するのである。
【０００６】
画像の鮮明さおよび画像のコントラストが低いという課題を解決するために、特開昭４９−１２９４３号公報、特開昭５８−５９４３６号公報、特開昭５８−１３４６２７号公報などに示されているように、従来、レンチキュラーレンズシート１２の観察面側表面に光遮蔽部材としてブラックストライプ１７を設けることが行われていた（図１１参照）。
【０００７】
ここで、ブラックストライプの面積比率が高ければ、外光によるコントラスト低下の度合いが小さくなることは明らかである。しかし、ＣＲＴ３管式の映像表示装置では、３管からのレンチキュラーレンズシートへの入射角がそれぞれ異なるため、レンチキュラーレンズシートの出射レンズの異なる位置に、各投射管からの光がそれぞれ集光することに起因するカラーシフトの補正をする必要がある。そこで、ブラックストライプ比率（レンチキュラーレンズピッチに対するブラックストライプ幅の比率）は一般的には５０％以下であった。
【０００８】
本発明は、上記の課題を解決するためになされたものであり、投射光学系内における迷光および不要反射光が低減され、かつ、外光が反射されることにより生じた光が低減された、優れたコントラストを有する投写型スクリーンを備えた背面投写型映像装置を提供することにある。
【０００９】
【課題を解決するための手段】
上記の課題を解決する本発明の背面投写型映像装置は、単一の投射レンズと、フレネルレンズシートと、フレネルレンズシートを通過して入射した光が出射されるときに当該光が通過しない領域に、ブラックストライプのような光遮蔽部材が設けられたレンチキュラーレンズシートとを備え、レンチキュラーレンズシートへの入射角度（ｄｅｇ）をθで、入射角度θの光に対するレンチキュラーレンズシートの全光線透過率（％）をＴｔ（θ）で、レンチキュラーレンズシートに含有された光吸収剤による光透過損失をαでそれぞれ表す場合、該レンチキュラーレンズシートの中心部において、Ｔｔ（θ）およびαが下記の式（１）および式（２）、
式（１）：｜θ｜＝５のとき   Ｔｔ（θ）＞７０×（１−α）
式（２）：｜θ｜＝２０のとき   Ｔｔ（θ）＜５０×（１−α）
を満足する。
【００１０】
本発明におけるレンチキュラーレンズシートは、レンチキュラーレンズシートにある入射側レンズの主焦点距離（ｍｍ）をｆで、入射側レンズのレンズ面頂部と光遮蔽部材の頂部との距離（ｍｍ）をｔで表すとき、ｆおよびｔが下記の式（３）、
式（３）：０．７≦ｔ／ｆ≦１．２
を満足することが、より明るいスクリーンを得ることができるという理由で好ましい。
【００１１】
また、レンチキュラーレンズシートにある入射側レンズのピッチに対する光遮蔽部材の幅が６０％以上であることが、より効果的に迷光・不要光が低減され、また外光の反射が大幅に低下するという理由で好ましい。
【００１２】
【発明の実施の形態】
以下、図面を参照しつつ、本発明の背面投写型映像表示装置の構成を具体的に説明する。
【００１３】
フレネルレンズシートとレンチキュラーレンズシートとを組み合わせた従来のスクリーンでゴースト光（迷光・不要反射光）が発生する理由を説明する。暗い室内においてスクリーンのコントラストを悪化させる原因となるフレネルレンズ等から発生する、いわゆるゴースト光（迷光、不要反射光など）の光路を図１および図２に示す。図１に光線解析の結果を示すように、フレネルレンズシート１に入射した光２ａが屈折されて（２ｂ）フレネルレンズ１ａ面に達し、フレネルレンズ１ａ面での反射光２ｃがフレネルレンズシートの裏面１ｂで全反射を起こし（２ｄ）、ライズ面１ｃから観察側に光２ｅが出射され、この光２ｅがゴースト光となる。あるいは図２に光線解析の結果を示すように、フレネルレンズシート１に入射した光３ａが屈折されて（３ｂ）フレネルレンズ面１ａに達し、フレネルレンズ面１ａでの反射光３ｃがライズ面１ｃから出射し、この出射光３ｄが再びフレネルレンズ面１ａからフレネルレンズシート１に入射し（３ｅ）、フレネルレンズシートの裏面１ｂで全反射を起こして（３ｆ）、フレネルレンズ面１ａから観察側に光３ｇが出射され、この光３ｇがゴースト光となる。
【００１４】
ここで、フレネルレンズシートの裏面で全反射を起こす条件であるときに、ゴースト光が観察側から強く見える。ゴースト光は、フレネルレンズシートへの入射光の入射角（図１および図２に示すθ１）とフレネルレンズのフレネル角度（図１および図２に示すθ２）が、ある特定の条件に合致した時に強く観察される。
【００１５】
この条件を計算により検討した結果、一つの例として映像が投射される画面のサイズを６０インチとし、投射レンズの瞳からフレネルレンズシートまでの距離を１０７８ｍｍとすると、フレネルレンズのフレネル角度θ２が下の式を満足する場合に、ゴースト光が強く観察されることが分かった。
θ２＝ｔａｎ-1（ＣＲ／〔１＋｛１−（Ｋ＋１）Ｃ2Ｒ2｝1/2〕＋４ＤＲ3＋６ＥＲ5＋８ＦＲ7＋１０ＧＲ9
ただし、Ｃ＝１．９８Ｅ−３、Ｋ＝−１．０５、Ｄ＝Ｅ＝Ｆ＝Ｇ＝０。Ｒはフレネル中心からの半径である。ここで、図３を用いてゴースト光が発生する様子を説明すると、横軸は、スクリーンの機械的中心からの距離（ｍｍ）を表し、縦軸は、スクリーンの垂線に対するゴースト光の出射角（ｄｅｇ）を表す。以上の条件を満足するときにフレネルレンズシートから出射するゴースト光は、図３から分かるようにフレネルレンズシートの外周のみで発生し、その出射角度はフレネルレンズシートの中心方向に向かって来るものである。図３において、曲線ａは、図1のように光線追跡したゴースト光（２ｅ）を示し、曲線ｂは、図２のように光線追跡したゴースト光（３ｇ）を示す。
【００１６】
ところで、上記の通り、スクリーン外周のある特定の位置のみで観察されるべきゴースト光が、実際には、これよりも広い範囲で観察される。これには、フレネルレンズシートと共に使用されるレンチキュラーレンズシートの特性が大きく影響している。レンチキュラーレンズシートでは、フレネルレンズシートからの出射光を水平方向に大きく拡散させているため、フレネルレンズシートから、ある特定の角度に対してのみ出射された光であっても、レンチキュラーレンズシートを通った後は水平方向に拡散されるため、図３に示すよりも広い角度でゴースト光が観察されることになる。
【００１７】
従来のレンチキュラーレンズの入射角に対する光線透過率の計算結果を図４のグラフａに示す。図４において、縦軸はレンチキュラーレンズシートの全光線透過率Ｔｔ（％）を表し、横軸はレンチキュラーレンズシートへの光線の入射角θ（ｄｅｇ）を表す。図４のグラフａに示すように、従来のレンチキュラーレンズシートでは、入射角が0°から２０°の範囲であるときに全光線透過率Ｔｔが約９０％となり、図３で示したゴースト光が容易に透過されてしまう。一方、より大きな出射角（３０°以上）でフレネルレンズシートから出射したゴースト光は、観察側には出てこない。この現象を図５により説明する。図５を説明すると、光線５（実線）は入射角２０°の入射光線を示し、光線６（破線）は入射角３０°の入射光線を示す。図５に光線追跡の結果を示すように、レンチキュラーレンズシート４の入射側レンズ４ａに、ある角度以上（３０°以上）で入射した光は、レンチキュラーレンズシート３の出射側に形成されたブラックストライプ７に当たり観察側には出てこない。
【００１８】
したがって、フレネルレンズシートとレンチキュラーレンズシートとを組み合わせた従来のスクリーンでは、フレネルレンズシートの内部での反射により生じたゴースト光（迷光・不要反射光）は、スクリーンのある特定の位置のみで観察され、また、強さの変化はあるものの、観察位置を変化させた場合でも、そのスクリーン上での位置は変化しないことになる。
【００１９】
以下、本発明の背面投写型映像表示装置におけるゴースト光の発生状況を説明する。
【００２０】
本発明の背面投写型映像表示装置において、フレネルレンズシートでのゴースト光の発生状況は、従来のものと同じであるが、本発明におけるレンチキュラーレンズシートでは、入射光線の角度に対する出射光線の透過率特性が従来のものとは大きく異なる。従来のレンチキュラーレンズシートでは、入射角が２０°以上であっても観察側に光線が透過されていたが、本発明におけるレンチキュラーレンズシートでは、ほぼ５０％以下の透過率である。
【００２１】
このような本発明におけるレンチキュラーレンズシートを、従来と同じフレネルレンズシートと組み合わせた場合には、ゴースト光として観察される領域が大幅に狭くなる。スクリーン外周部においては、ゴースト光のレンチキュラーレンズシートへの入射角が大きく、本発明によるレンチキュラーレンズシートであればゴースト光を低減させる効果が特に大きい。また、ゴースト光をより一層低減させるためには、入射角が２０°以下における透過率が更に低いことが好ましく、透過率が３０％以下であることが好ましい。
【００２２】
図６に本発明におけるレンチキュラーレンズシートの構成を示す。本発明におけるレンチキュラーレンズシート４の入射側レンズ４ａおよび出射側レンズ４ｂの形状は、従来のレンチキュラーレンズシートと同様に楕円または円形の断面形状をしている。ここで、先に説明したように、従来のレンチキュラーレンズシートにおいては、大きな角度で入射した光線は、図５中に光線５（実線）および光線６（破線）で示すように、一部分（光線６）のみがブラックストライプ７でカットされる。本発明におけるレンチキュラーレンズシートで光線が透過する様子を図７に示す。図７の説明をすると、光線８（実線）は入射角０°のときの経路を表し、光線９（破線）は入射角２０°のときの経路を表す。図７の光線９（破線）に示すように、本発明におけるレンチキュラーレンズシートによれば、入射角２０°の光線もブラックストライプ７でカットされ、ゴーストの原因となる不要な入射光が大きく削減される。
【００２３】
本発明におけるレンチキュラーレンズシートの１例の全光線透過率を計算した結果を図４に示す。図４においてグラフ（ｂ）および（ｃ）は、 本発明におけるレンチキュラーレンズシートの１例の全光線透過率を計算した結果である。図４のグラフ（ｂ）および（ｃ）に示すように、フレネルレンズシートから出射される２０°以上の迷光がほとんど透過されないことが分かる。
【００２４】
ところで、入射側レンズの主焦点位置に対する出射側レンズの位置によって、フレネルレンズシートからの不要反射光線の光透過率が大きく影響される。このことを図８を用いて説明する。図８の縦軸はレンチキュラーレンズシートの全光線透過率Ｔｔ（％）を表し、横軸はレンチキュラーレンズシートへの光線の入射角θ（ｄｅｇ）を表す。図８は、レンチキュラーレンズシートにある入射側レンズの主焦点距離（ｍｍ）をｆで、入射側レンズのレンズ面頂部と光遮蔽部材の頂部との距離（ｍｍ）をｔでそれぞれ表すとき、ｔ／ｆが１．６であるときの計算結果であり、図８のグラフ（ａ）、（ｂ）および（ｃ）はそれぞれ入射側レンズのピッチに対する光遮蔽部材の幅の比（以下、これを「ＢＳ比率」という。）が４５％、６０％および７０％である（ただし、レンチキュラーレンズシートに含有される光吸収剤による光透過損失を０％として計算した。）。ここで、実用的な水平視野角を保つように設計された入射側レンズの主焦点位置に対する出射側レンズの位置が遠い場合には、レンチキュラーレンズシートへの入射角が大きい光線に対する光透過率を大幅に下げることが可能である。しかし、入射角が０°近くである、映像を表示するために必要とされる光線の光透過率も低下し、レンチキュラーレンズシートとして望ましい特性が得られないことになる。また、入射側レンズの主焦点位置に対する出射側レンズの位置が遠い場合には、レンチキュラーレンズの特性として重要である水平拡散特性が低下し、この点でも好ましくない。一方、入射側レンズの主焦点位置に対する出射側レンズの位置が近すぎる場合でも、同様に映像を表示するために必要とされる光線の透過率までも低下させてしまいレンチキュラーレンズシートとして望ましい特性が得られない。
【００２５】
レンチキュラーレンズシートにある入射側レンズの主焦点距離（ｍｍ）をｆで、入射側レンズのレンズ面頂部と光遮蔽部材の頂部との距離（ｍｍ）をｔでそれぞれ表すとき、ｔ／ｆの値と、入射側レンズのピッチに対する光遮蔽部材の幅の比を変えて、レンチキュラーレンズシートの全光線透過率（Ｔｔ）の関係を計算した結果を表１および表２に示す。なお、表１では、レンチキュラーレンズシートへの光線の入射角を５°とし、表２では、レンチキュラーレンズシートへの光線の入射角を２０°としている。
【００２６】
【表１】
0003905648.tif 000002
【表２】
0003905648.tif 000003
【００２７】
表１に示すように、レンチキュラーレンズシートへの光線の入射角が５°の条件では、ｔ／ｆが０．７から１．２の範囲であるときに全光線透過率が７０％以上となる。また、表２に示すように、レンチキュラーレンズシートへの光線の入射角が２０°の条件では、ｔ／ｆが０．９以上であるときに全光線透過率が５０％以下となる。
【００２８】
すなわち、レンチキュラーレンズシートにある入射側レンズの主焦点距離（ｍｍ）をｆで、入射側レンズのレンズ面頂部と光遮蔽部材の頂部との距離（ｍｍ）をｔでそれぞれ表すとき、ｔ／ｆが０．７以上１．２以下の範囲にある場合に、レンチキュラーレンズシートへの光線の入射角度θ（ｄｅｇ）、レンチキュラーレンズシートの全光線透過率Ｔｔ（θ）（％）およびレンチキュラーレンズシートに含有された光吸収剤による光透過損失αが、｜θ｜＝５（ｄｅｇ）のときに式Ｔｔ（θ）＞７０×（１−α）を満足し、かつ、｜θ｜＝２０（ｄｅｇ）のときに式Ｔｔ（θ）＜５０×（１−α）（％）を達成することが可能である。このようなレンチキュラーレンズシートによって、フレネルレンズシートから発生する迷光、不要反射光などのゴースト光を大幅に低減することが可能となる。
【００２９】
以上、説明したように、フレネルレンズシート等からのゴースト光を低減させるためには、レンチキュラーレンズシートへの入射角が２０°の光線に対する全光線透過率が低いことが好ましく、５０×（１−α）％以下の透過率であればゴースト光を大幅に低減することが可能である。透過率が３０×（１−α）％以下であることがより望ましい。しかし、単に入射角が２０°の光線に対する透過率を低減させるのみでは、レンチキュラーレンズシートの明るさを低下させてしまうため、レンチキュラーレンズシートへの入射角が５°の光線に対する全光線透過率を７０％以上とする必要がある。入射角５°の光線に対する全光線透過率は８０％以上であることがより望ましい。
【００３０】
本発明において、ブラックストライプの比率を高めることにより、明るい室内での外光反射を低減させ、スクリーンのコントラストを向上させることもできる。 ＣＲＴ３管式の映像表示装置では、３管それぞれからの光線がレンチキュラーレンズシートへ入射する角度が異なるため、レンチキュラーレンズシートの出射側レンズの異なる位置に３管それぞれからの光線が集光することに起因するカラーシフトを補正する必要がある。一方、ＬＣＤ等を用い、単一の投射レンズを備えた映像表示装置では、レンチキュラーレンズの出射側レンズのほぼ一定の位置に光を収束させることが可能であり、カラーシフトを補正する必要がないので、ブラックストライプの比率を高めることが可能である。
【００３１】
フレネルレンズシートとして拡散性を有するシートが用いられることがあるが、そのようなシートの光線拡散特性の一例を図９に示す。図９に示すようにフレネルレンズシートから出射される光線の大部分は出射角が±１０°以内である。本発明におけるレンチキュラーレンズシートでは、入射角が２０°以下であるときに全光線透過率が５０％以上であるため、拡散性を有するフレネルレンズシートと組み合わせて用いても全く問題はない。
【００３２】
【実施例】
以下、実施例によって本発明の背面投写型映像表示装置をより具体的に説明する。なお、以下の実施例において、全光線透過率の測定には村上色彩研究所製ＧＰ―１Ｒゴニオメータを用い、コントラストの評価にはソニー(株)製ＫＬ−３７ＨＷ１  ＬＣＤ式背面投写型プロジェクションテレビを用い、輝度等の測定にはミノルタ（株）製色彩色差計ＣＳ−１００を用いた。
【００３３】
（実施例１）
レンチキュラーレンズのレンズピッチが０．５３ｍｍであり、シートの厚さが０．６２ｍｍであり、ブラックストライプの比率が６７％であるレンチキュラーレンズシートを、東芝機械（株）製押し出し成型機を用いたロール成形法により作製する。このレンチキュラーレンズシートの表面には、黒色インクを用い、スクリーン印刷法によりブラックストライプを形成する。上記レンチキュラーレンズの形状を式で表すと以下の通りである。なお、ｔ／ｆは、０．９である。
レンズ形状：ＣＲ2／〔１＋｛１−（Ｋ＋１）Ｃ2Ｒ2｝1/2〕＋ＤＲ4＋ＥＲ6＋ＦＲ8＋ＧＲ10
入射側レンズ：Ｃ＝４．５、Ｋ＝−０．４４８６、Ｄ＝Ｅ＝Ｆ＝Ｇ＝０
出射側レンズ：Ｃ＝−４．５、Ｋ＝−０．４４８６、Ｄ＝Ｅ＝Ｆ＝Ｇ＝０
また、 Ｒはレンチキュラーレンズ中心からの半径である。
【００３４】
上記のレンチキュラーレンズシートと組み合わせて背面投写型映像表示装置を構成するフレネルレンズシートは、微粒子拡散材が配合された樹脂板からなり、このフレネルレンズの拡散特性は図９で示すものである。
【００３５】
本実施例のレンチキュラーレンズシートの全光線透過率Ｔｔ（θ）（％）を測定した結果を表３に示す。全光線透過率とは、レンチキュラーレンズシートの入射面より入射した光線の量に対する出射面より出射される全光線の量の比率を表したものである（なお、表３には、後述する実施例２についての測定結果をあわせて示してある。）。
【００３６】
【表３】
0003905648.tif 000004
【００３７】
上記したプロジェクションテレビに、本実施例のレンチキュラーレンズシートおよび上記のフレネルレンズシートを取り付け、外光コントラストの指標となる投射映像および外光反射の輝度を測定した結果を表４に示す。ここで、表４中の水平視野角αＨ、βＨ、γＨは、ピークの輝度に対して、それぞれ１／２、１／３、１／１０となる水平視野角を示す。実施例１のものは、後述する実施例２とともに実用上問題ない水平視野角を有している。
【００３８】
【表４】
0003905648.tif 000005
【００３９】
投射映像の輝度測定は、プロジェクションテレビに白黒模様の規準信号を入力し、プロジェクションテレビから１ｍの距離で、上記測定器を用いて白色部分を測定することにより行った。また、外光反射輝度の測定は、プロジェクションテレビのスクリーン面の照度が３６０Ｌｘとなるように、スクリーンに対して上方から約４５°の角度でハロゲンランプを調光して照らした状態で、白黒模様の黒色部分の輝度を測定することにより行った。表４において、外光コントラスト  は投射映像の白色輝度を黒色輝度で割った値で示した。外光コントラストは投射映像光に対する外光の影響を示し、この値が大きいほど外光によるコントラストの低下が少ないことを意味する。
【００４０】
次に、評価室内の照明を消し、プロジェクションテレビに白黒の基準信号を入力し、白色部輝度および黒色部輝度をそれぞれ測定した。白色輝度を黒色輝度で割った値を迷光コントラストとした。この値が大きいほど、迷光によるコントラストの低下が少ないことを意味する。
【００４１】
（実施例２）
上記のレンチキュラーレンズシートのレンズ形状を表す式において、
入射側レンズ：Ｃ＝４．５ 、Ｋ＝−０．４４８６、Ｄ＝Ｅ＝Ｆ＝Ｇ＝０
出射側レンズ：Ｃ＝−４．５ 、Ｋ＝−０．４４８６、Ｄ＝Ｅ＝Ｆ＝Ｇ＝０
とし、レンズピッチを０．５３ｍｍ、シートの厚さを０．６２ｍｍとし、また、ｔ／ｆを０．９とし、ブラックストライプの比率を６０％としたものを実施例１で説明したと同様にして作製する。
【００４２】
このレンチキュラーレンズシートを用いて、実施例１におけると同様に全光線透過率およびコントラストの測定を行った結果を上記の表３および表４にあわせて示す。
【００４３】
（比較例１）
上記のレンチキュラーレンズシートのレンズ形状を表す式において、
入射側レンズ：Ｃ＝４．５、Ｋ＝−１．０、Ｄ＝Ｅ＝Ｆ＝Ｇ＝０
出射側レンズ：Ｃ＝−６．３、Ｋ＝−１．０、Ｄ＝Ｅ＝Ｆ＝Ｇ＝０
とし、レンズピッチを０．５５ｍｍ、シートの厚さを０．６７ｍｍとし、また、ｔ／ｆを１．０とし、ブラックストライプの比率を４４％としたものを実施例１で説明したと同様にして作製する。
【００４４】
このレンチキュラーレンズシートを用いて、実施例１におけると同様に全光線透過率およびコントラストの測定を行った結果を上記の表３および表４にあわせて示す。表３に示すように、比較例のレンチキュラーレンズシートは入射角２０°に対する透過率が高いものである。この比較例では表４に示すように、コントラストが実施例のものに比べて劣ってる。
【００４５】
【発明の効果】
本発明によれば、外光が無い状態でも発生する投射光学系内における迷光、不要反射光などのゴースト光が低減され、かつ、明るい室内における外光反射をも低減されたコントラストの優れた背面投写型映像装置を提供することができる。
【図面の簡単な説明】
【図１】フレネルレンズシートから出射されるゴースト光を説明する図である。
【図２】フレネルレンズシートから出射されるゴースト光を説明する他の図である。
【図３】フレネルレンズシートから出射されるゴースト光の位置を表す図である。
【図４】レンチキュラーレンズシートへの入射角と全光線透過率との関係を求めた図である。
【図５】従来のレンチキュラーレンズシートにおける光線の透過経路を説明する図である。
【図６】本発明におけるレンチキュラーレンズシートの断面図である。
【図７】本発明のレンチキュラーレンズシートにおいて不要な入射光がカットされる様子を説明する図である。
【図８】レンチキュラーレンズシートへの入射角と全光線透過率との関係を異なるＢＳ比率のものについて求めた結果を示す図である。
【図９】フレネルレンズシートから出射される光線拡散特性の一例を説明する図である。
【図１０】透過型スクリーンの構成例を示す図である。
【図１１】透過型スクリーンの断面を示す図である。
【符号の説明】
１・・・フレネルレンズシート
４・・・レンチキュラーレンズシート
４ａ・・・入射側レンズ
７・・・ブラックストライプ
【図１】
0003905648.tif 000006
【図２】
0003905648.tif 000007
【図３】
0003905648.tif 000008
【図４】
0003905648.tif 000009
【図５】
0003905648.tif 000010
【図６】
0003905648.tif 000011
【図７】
0003905648.tif 000012
【図８】
0003905648.tif 000013
【図９】
0003905648.tif 000014
【図１０】
0003905648.tif 000015
【図１１】
0003905648.tif 000016